(57)【要約】【課題】エネルギー事情の変更に応じて熱源を変更することのできる温風式床暖房装置を提供すること。【解決手段】床材の下に配設された温風管と、前記温風管に温風を供給するヒーティングユニットと、該ヒーティングユニットを制御する温度制御部と、床温度を検出する温度センサーとを備え、前記ヒーティングユニットは、熱源と送風ファンを備えると共に電気式ヒーティングユニットと温水式ヒーティングユニットが交換可能に設置したので、エネルギー事情の変更に応じて熱源を変更することができる。【選択図】  図１
2004162990.tif 000002
【特許請求の範囲】
【請求項１】
床材の下に配設された温風管と、
前記温風管に温風を供給するヒーティングユニットと、
該ヒーティングユニットを制御する温度制御部と、
床温度を検出する温度センサーとを備え、
前記ヒーティングユニットは、熱源と送風ファンを備えると共に電気式ヒーティングユニットと温水式ヒーティングユニットが交換可能に設置されたことを特徴とする温風式床暖房装置。
【請求項２】
前記ヒーティングユニットは、前記温風管と接続されたケーシング内に着脱可能に配設されたことを特徴とする請求項１に記載の温風式床暖房装置。
【請求項３】
前記ケーシングは、前記温風管と接続された吐出口と戻り口とを備え、前記戻り口は空気溜チャンバーと連通しており、空気溜チャンバーから前記ヒーティングユニットの下を通って送風ファンに導かれ、ヒータで加熱された空気を再度吐出口から循環させることを特徴とする請求項１または２に記載の温風式床暖房装置。
【請求項４】
前記電気式ヒーティングユニットは、戻り口における戻り空気の温度が４４℃以上になった場合にヒータ電源をＯＦＦとし、４４℃以下でヒータ電源をＯＮとして温度制御を行うことを特徴とする請求項１〜３の何れか１に記載の温風式床暖房装置。
【請求項５】
前記温水式ヒーティングユニットは、ヒータ内部温度が２７℃以下になると送風ファンを停止し、３０℃以上になると送風ファンを運転する温度制御を行うことを特徴とする請求項１〜４の何れか１に記載の温風式床暖房装置。
【発明の詳細な説明】
【０００１】
【発明の属する技術分野】
本発明は、個人住宅、集合住宅、公共施設等の暖房として使用される床暖房装置に関するものである。
【０００２】
【従来の技術】
一般に床暖房装置は、電気式発熱体を床内に埋め込んだり、温水を流通させるためのパイプを埋め込む形式のものが広く知られており、室内空気を汚染することがないと共に放熱装置を室内に設置する必要がない為に、広く普及している。
【０００３】
【発明が解決しようとする課題】
しかし、従来の床暖房装置では、電気式発熱体を床内に埋め込んだものにあっては、熱源は電気に限られてしまい他の熱源を使用することができなかった。また、同様に温水式のものにあっては、ボイラー等を利用した熱源に限られると云う欠点が存在した。
【０００４】
このため、将来エネルギー事情が変化した場合に高価なエネルギーを使用するか、または床暖房装置を交換しなければならなかった。
本発明は、前記実情に鑑み提案されたもので、熱源であるヒーティングユニットを電気式と温水式とで交換可能とすることで、将来のエネルギー事情の変更にも拘わらず価格的に有利な熱源を使用することのできる温風式床暖房装置を提供することを目的とする。
【０００５】
【課題を解決するための手段】
前記目的を達成するために、請求項１に記載の発明は、床材の下に配設された温風管と、前記温風管に温風を供給するヒーティングユニットと、該ヒーティングユニットを制御する温度制御部と、床温度を検出する温度センサーとを備え、前記ヒーティングユニットは、熱源と送風ファンを備えると共に電気式ヒーティングユニットと温水式ヒーティングユニットが交換可能に設置されたことを特徴とするものである。
【０００６】
また、請求項２に記載の発明は、前記ヒーティングユニットは、前記温風管と接続されたケーシング内に着脱可能に配設されたことを特徴とするものである。
【０００７】
また、請求項３に記載の発明において、前記ケーシングは、前記温風管と接続された吐出口と戻り口とを備え、前記戻り口は空気溜チャンバーと連通しており、空気溜チャンバーから前記ヒーティングユニットの下を通って送風ファンに導かれ、ヒータで加熱された空気を再度吐出口から循環させることを特徴するものである。
【０００８】
また、請求項４に記載の発明において、前記電気式ヒーティングユニットは、戻り口における戻り空気の温度が４４℃以上になった場合にヒータ電源をＯＦＦとし、４４℃以下でヒータ電源をＯＮとして温度制御を行うことを特徴とするものである。
【０００９】
また、請求項５に記載の発明において、前記温水式ヒーティングユニットは、ヒータ内部温度が２７℃以下になると送風ファンを停止し、３０℃以上になると送風ファンを運転する温度制御を行うことを特徴とするものである。
【００１０】
【発明の実施の形態】
以下、一実施の形態を示す図面に基づいて本発明を詳細に説明する。図１は、本発明に係る温風式床暖房装置の全体構成を示す平面図である。ここで、温風式床暖房装置１０は、床材１１の下に配設された温風管１２と、この温風管１２に温風を供給するヒーティングユニット１３と、このヒーティングユニット１３を制御する温度制御部１４と、床温度を検出する温度センサー１５とを備えている。図１では、ヒーティングユニット１３を部屋のほぼ中央に設けた例について示したがこれに限らず、部屋の任意の場所に設置してもよい。また、図１に示す例では、ヒーティングユニット１３に設けた吐出口と戻り口を４対としたがこれに限るものではない。
【００１１】
温度制御部１４は、部屋の適宜位置に設置され、操作のし易い場所に設けられる。また、温度センサー１５は、床の温度を測る場合には床材１１内に設けられ、室温を測る場合は、室内に設けられ測定信号を温度制御部１４に伝達する。更に、ヒーティングユニット１３は、電気式ヒーティングユニット１３Ａと温水式ヒーティングユニット１３Ｂが交換可能に設置されている。
【００１２】
図２は、本発明の温風式床暖房装置に使用される電気式ヒーティングユニット１３Ａの開蓋状態を示す斜視図である。電気式ヒーティングユニット１３Ａは、熱源であるヒータ１６と送風ファン１７を備えている。また、この電気式ヒーティングユニットは１３Ａは、前記温風管１２と接続されたケーシング１８内に着脱可能に配設されている。更に、ケーシング１８は、温風管１２と接続された吐出口１９と戻り口２０とを備え、戻り口２０は空気溜チャンバー２１と連通しており、この空気溜チャンバー２１から前記電気式ヒーティングユニット１３の下の空間２２を通って送風ファン１７に導かれた後、ヒータ１６で加熱された空気を再度吐出口１９から循環させる。
【００１３】
空気溜チャンバー２１と電気式ヒーティングユニット１３Ａとは、区画されており、空間２２及び送風ファン１７を介して連通している。また、送風ファン１７は、例えば１２０Ｗ、ヒータ１６は２×１５００Ｗで２００Ｖの電源を使用している。安全装置としては、７５℃と１１０℃の温度ヒューズをそれぞれ１個、過電流ヒューズを１個備えている。ケーシング１８は、蓋体３０を有しており、表面が床材１１と同様のものとなっている。
【００１４】
次に、以上のように構成された本発明に係る温風式床暖房装置１０の使用態様について説明する。先ず、本発明の温風式床暖房装置１０において、電気式ヒーティングユニット１３Ａを使用した場合、温度制御部１４のスイッチをＯＮとすると、図外のリレーが作動してヒータ１６と送風ファン１７がＯＮとなる。ヒータ１６によって加熱された空気は、吐出口１９から温風管１２を送風される。温風管１２に送風された空気は、床材１１を暖めた後に戻り口２０から空気溜チャンバー２１内へ戻ってくる。
【００１５】
空気溜チャンバー２１内へ戻った空気は、空間２２を通って、送風ファン１７の吸引側から吸引され、吐出側から吐出される。戻り空気の温度が４４℃以上となった時、ヒータ１６の電源がＯＦＦとされる。しかし、送風ファン１７の電源はＯＮのままである。また、戻り空気の温度が４４℃以下となった時、ヒータ１６の電源がＯＮとされる。また、温度制御部１４の操作によって送風ファン１７のＯＮ−ＯＦＦが可能である。更に、電気回路には、安全装置として７５℃と１１０℃の温度ヒューズをそれぞれ１個、過電流ヒューズを１個備えているので、４４℃でヒータ１６の電源がＯＦＦとされなかった場合でも安全である。
【００１６】
図５は、本発明の温風式床暖房装置に使用される温水式ヒーティングユニットの開蓋状態を示す平面図、図６は温水式ヒーティングユニットを示す縦断面図、図７は温水式ヒーティングユニットの組立図、図８は温水式ヒーティングユニットを示す斜視図である。温水式ヒーティングユニット１３Ｂは、熱源であるラジエータ２３と送風ファン２４と熱動弁２５及び温度センサー２６等を備えており、ケーシング１８内に収納されている。外部から供給される温水は、温水入口２７から熱動弁２５ａ、２５ｂを介して左右のラジエータ２３に供給される。また、温水入口２７の近傍には温度センサー２６が配置されている。ラジエータ２３を循環した温水は、温水出口２８から流出する。
【００１７】
以上のように構成した温水式ヒーティングユニット１３Ｂは、外部のボイラで５０〜６０℃に加熱された後、温水入口２７から熱動弁２５ａ、２５ｂを介してラジエータ２３に導かれる。ラジエータ２３で、送風ファン２４から送風された空気を暖めた後、温度の低下した温水は、温水出口２８から配管を通じてボイラに循環する。また、ボイラから供給される温水の温度を温度センサー２６で検出し、２７℃以下の場合は送風ファン２４の回転を停止する。更に、供給される温水の温度が３０℃以上になると、送風ファン２４を回転するように温度制御する。したがって、ボイラから供給される温水の温度が低い場合に、送風ファン２４が回転して床面温度を低下させることを防止できる。
【００１８】
以上のように構成した温風式床暖房装置は、電気代が高騰した場合には、温水式ヒーティングユニットを使用し、電気代が安価になった場合には、電気式ヒーティングユニットを使用し、エネルギー事情が変動した場合でも安定した床暖房の可能な温風式床暖房装置を提供することができる。
【００１９】
【発明の効果】
この発明は前記した構成からなるので、以下に説明するような効果を奏することができる。
【００２０】
請求項１に記載の発明では、床材の下に配設された温風管と、前記温風管に温風を供給するヒーティングユニットと、該ヒーティングユニットを制御する温度制御部と、床温度を検出する温度センサーとを備え、前記ヒーティングユニットは、熱源と送風ファンを備えると共に電気式ヒーティングユニットと温水式ヒーティングユニットが交換可能に構成したものである。
【００２１】
このような構成としたことによって、本発明の温風式床暖房装置はエネルギー事情の変更により、電気が安定供給できる場合には電気式ヒーティングユニットを使用し、温水、ガス等が安定供給できる場合には、温水式ヒーティングユニットを使用して床暖房を行うことができる。また、都市ガスを利用した燃料電池やマイクロガスタービン等も使用することができる。
【００２２】
また、請求項２に記載の発明において、前記ヒーティングユニットは、前記温風管と接続されたケーシング内に着脱可能に配設されたので、電気式ヒーティングユニットと温水式ヒーティングユニットとを容易に交換することができる。また、温度制御部（コントロールユニット）等はそのまま使用することができる。
【００２３】
また、請求項３に記載の発明において、前記ケーシングは、前記温風管と接続された吐出口と戻り口とを備え、前記戻り口は空気溜チャンバーと連通しており、空気溜チャンバーから前記ヒーティングユニットの下を通って送風ファンに導かれ、ヒータで加熱された空気を再度吐出口から循環させるので、戻り空気とヒータで加熱された空気とが混じることなく、効率的に循環させることができる。
【００２４】
また、請求項４に記載の発明において、前記電気式ヒーティングユニットは、戻り口における戻り空気の温度が４４℃以上になった場合にヒータ電源をＯＦＦとし、４４℃以下でヒータ電源をＯＮとして温度制御を行うので、床面の過熱を防止すると共に、温度が低下した場合に再加熱することができる。
【００２５】
また、請求項５に記載の発明において、前記温水式ヒーティングユニットは、ヒータ内部温度が２７℃以下になると送風ファンを停止し、３０℃以上になると送風ファンを運転する温度制御を行うので、冷風が温風管内を循環して室内温度を低下させるのを防止することができる。
【図面の簡単な説明】
【図１】図１は、本発明に係る温風式床暖房装置の全体構成を示す平面図である。
【図２】図２は、同温風式床暖房装置に使用される電気式ヒーティングユニットの開蓋状態を示す斜視図である。
【図３】図３は、同温風式床暖房装置に使用される電気式ヒーティングユニットを示す平面図である。
【図４】図４は、同温風式床暖房装置に使用される電気式ヒーティングユニットを示す縦断面図である。
【図５】図５は、同温風式床暖房装置に使用される温水式ヒーティングユニットの開蓋状態を示す平面図である。
【図６】図６は、同温風式床暖房装置に使用される温水式ヒーティングユニットを示す縦断面図である。
【図７】図７は、同温風式床暖房装置に使用される温水式ヒーティングユニットの組立図である。
【図８】図８は、同温風式床暖房装置に使用される温水式ヒーティングユニットを示す斜視図である。
【符号の説明】
１０      温風式床暖房装置
１１      床材
１２      温風管
１３      ヒーティングユニット
１４      温度制御部
１５      温度センサー
１６      ヒータ
１７      送風ファン
１８      ケーシング
１９      吐出口
２０      戻り口
２１      空気溜チャンバー
２２      空間
２３      ラジエータ
２４      送風ファン
２５      熱動弁
２６      温度センサー
２７      温水入口
２８      温水出口
【図１】
2004162990.tif 000003
【図２】
2004162990.tif 000004
【図３】
2004162990.tif 000005
【図４】
2004162990.tif 000006
【図５】
2004162990.tif 000007
【図６】
2004162990.tif 000008
【図７】
2004162990.tif 000009
【図８】
2004162990.tif 000010